(57)【要約】【課題】電気を使用することなく、ろ過スクリーンを洗浄できるようにして、ランニングコストの大幅な低減を図ることができるろ過処理装置を得ることを目的とする。【解決手段】原水をろ過する円筒形スクリーン２が設けられたろ過処理室１０１及び排水口１ｅが設けられたドレン室１０２を備えた容器１と、ろ過処理室１０１とドレン室１０２を連通する連通管３ａ、原水室１０１Ｂで開口する吸引ノズル３ｂ、及びドレン室１０２で開口する吐出口３ｃを備えた回転洗浄器３と、排水口１ｅに設けられた開閉弁４とから構成する。【選択図】図１
2007098278.tif 000002
【特許請求の範囲】
【請求項１】
原水をろ過する円筒形スクリーンが設けられたろ過処理室及び排水口が設けられたドレン室を備えた容器と、
前記ろ過処理室と前記ドレン室を連通する連通管、前記ろ過処理室で開口する吸引ノズル、及び前記ドレン室で開口する吐出口を備えた回転洗浄器と、
排水口に設けられた開閉弁と
からなることを特徴とするろ過処理装置。
【請求項２】
原水をろ過する円筒形スクリーンが設けられたろ過処理室及び排水口が設けられたドレン室を備えた容器と、
前記ろ過処理室と前記ドレン室を連通する連通管、前記ろ過処理室で開口する吸引ノズル、及び前記ドレン室で開口する吐出口を備えた回転洗浄器と、
排水口に設けられた開閉弁と、
前記回転洗浄器を軸心方向に往復動させる往復動手段と
からなることを特徴とするろ過処理装置。
【請求項３】
前記吐出口は、連通管の立上部に設けられていることを特徴とする請求項１または２のいずれかに記載のろ過処理装置。
【請求項４】
前記開閉弁は、容器内の水圧を検知して弁の開閉を制御する制御器を備えていることを特徴とする請求項１から３のいずれかに記載のろ過処理装置。
【請求項５】
前記往復動手段は、ピストン機構、バネ機構および円筒カム機構のいずれか、あるいは、これらの組み合わせからなることを特徴とする請求項２から４のいずれかに記載のろ過処理装置。
【発明の詳細な説明】
【技術分野】
【０００１】
この発明は、水をろ過処理するろ過処理装置に関し、特にろ過スクリーンを洗浄する洗浄機構を備えたろ過処理装置に関するものである。
【背景技術】
【０００２】
例えば、以下の特許文献１の第３実施例に開示されているろ過処理装置は、フィルタ容器内に円筒形のフィルタ材を備えている。
フィルタ容器の内部は、境界壁によってフィルタ材を有し、外壁面に原液流入口とろ過液排出口を備える第１室と、外壁面に排水口を備える第２室とに分割されている。また、第１室と第２室を連通するようにノズルユニットが配設されている。
ノズルユニットは、外管の管軸と内管の中心管軸との２重管構造となっており、管軸は、円筒形のフィルタ材の内周面における付着物を吸引する吸引ノズルを第１室側に有し、吸引した付着物を排出する集水孔を第２室側に有している。
一方、中心管軸には、高圧水をフィルタ材の内周面に噴射する噴射ノズルを第１室側に有している。
【０００３】
ノズルユニットは、ピストンに接続されており、ピストンとシリンダによる往復動機構によって、円筒形のフィルタ材の内面を往復動するようになっている。
また、ノズルユニットの中心管軸は、電動モーターの駆動軸と連結されており、電動モーターの起動によって、ノズルユニットが回転するようになっている。
以下の特許文献１には、別の実施形態として、原液流入口周辺の中心管軸が翼板を備え、第１室に流入した原液が翼板に当たることによって、ノズルユニットが回転するようになっているものも例示されている。
【０００４】
このろ過処理装置は、通常時においては、原液流入口から流入する原水を円筒形のフィルタ材でろ過し、ろ過液排出口からろ過水を装置外に排出する処理を行っている。
ただし、フィルタ材が目詰まりして、原液流入口とろ過液排出口との圧力差が制限値を超えたときは、ノズルユニットによって、フィルタ材を洗浄する処理を行っている。
このとき、中心管軸内に高圧液体を供給することによって、噴射ノズルから高圧液体をフィルタ材の内面に噴射し、付着物を剥離させるようにしている。
また同時に、集水孔を大気開放する等して低圧とすることによって、管軸内を低圧にすることにより、フィルタ材の内面の付着物を吸引ノズルに吸引させて、集水孔から付着物を排出させるようにしている。
さらに、このとき、往復動機構と電動モーターを同時に稼動させることで、噴射ノズルおよび吸引ノズルをフィルタ材内面に対して螺旋運動させる。これらの動作によって、フィルタ材の内面全体をくまなく洗浄するようになっている。
【０００５】
【特許文献１】特開平６−４７２０９号公報（段落番号［００４４］から［００５５］、図３）
【発明の開示】
【発明が解決しようとする課題】
【０００６】
従来のろ過処理装置は以上のように構成されているので、高圧液体の中心管軸への流入制御、集水孔を大気開放とするための集水孔の開閉制御、ノズルユニットの回転運動のための電動モーター制御を行うには、制御盤による電気を使用した制御が必要であり、また、電動モーターの電源としても電気が必要である。このため、山間部等の発電所からの送電線がない地域で、このろ過処理装置を使用する場合、ディーゼル発電機等の発電機や、蓄電池等からなる電源設備が別途必要であり、設置コストが嵩む課題があった。特にディーゼル発電機を設置する場合には、燃料のコストが嵩む問題があり、また、蓄電池を設置する場合には、一般的に寿命が２年程度で短いため、蓄電池の交換に伴うコストが嵩む問題があった。
従来のろ過処理装置で電気をしない一例として、ノズルユニットを回転させる動力として、原水の水流が翼板に当たることによって発生する回転力を使用するものがある。しかし、原水の水圧が小さい場合、発生する回転力が小さいことから、回転の際にノズルユニットをフィルタ容器に支持する支持部分での摩擦から発生する摩擦力によって減殺されて、ノズルユニットが回転しない場合があるという課題があった。
【０００７】
この発明は上記のような課題を解決するためになされたもので、電気を使用することなく、ろ過スクリーンを洗浄できるようにして、ランニングコストの大幅な低減を図ることができるろ過処理装置を得ることを目的とする。
【課題を解決するための手段】
【０００８】
この発明に係るろ過処理装置は、原水をろ過する円筒形スクリーンが設けられたろ過処理室及び排水口が設けられたドレン室を備えた容器と、ろ過処理室とドレン室を連通する連通管、ろ過処理室で開口する吸引ノズル、及びドレン室で開口する吐出口を備えた回転洗浄器と、排水口に設けられた開閉弁とから構成するようにしたものである。
【０００９】
また、この発明に係るろ過処理装置は、原水をろ過する円筒形スクリーンが設けられたろ過処理室及び排水口が設けられたドレン室を備えた容器と、ろ過処理室とドレン室を連通する連通管、ろ過処理室で開口する吸引ノズル、及びドレン室で開口する吐出口を備えた回転洗浄器と、排水口に設けられた開閉弁と、回転洗浄器を軸心方向に往復動させる往復動手段とから構成するようにしたものである。
【発明の効果】
【００１０】
この発明に係るろ過処理装置は、排水口を大気開放とするための排水口の開閉制御、回転洗浄器の回転運動のための回転動力に水圧を利用しており、これらの制御にも水圧を利用していることから、電気が一切不要であり、ランニングコストの大幅な低減が図れる効果がある。
【００１１】
この発明のろ過処理装置は、電気が一切不要であることから、山間部等の発電所からの送電線がない地域にろ過処理装置を適用しても、ディーゼル発電機等の発電機、蓄電池等からなる電源設備を一切必要としない。よって、電源設備の設置コストが不要であり、特にディーゼル発電機の場合に問題となっていた燃料のコストを不要とすることができる。さらに、蓄電池の寿命は２年程度が一般的であり、蓄電池の交換にかかるコストが問題となっていたが、これも不要にできる大きな効果がある。
【００１２】
請求項２の発明に係るろ過処理装置においては、回転洗浄器を往復動させる往復動手段を同時に備えていることから、回転洗浄器の吸引ノズルを円筒形スクリーン内面で螺旋軌道に移動させることができる。これにより、１本当たりの吸引ノズルが円筒形スクリーンの内面を吸引洗浄する面積が大幅に増加し、回転洗浄器に配設する吸引ノズルの本数を大幅に少なくすることができる効果がある。さらに、吸引ノズルの本数を減らすことにより、吸引ノズルの吸引力が大幅に向上し、円筒形スクリーンの洗浄効果が大幅に向上する大きな効果がある。
【００１３】
請求項３の発明に係るろ過処理装置においては、回転洗浄器のドレン室内側の連通管に立上部を設けて、その立上部に吐出口を設け、その吐出口からの吐出水勢を回転動力としたことにより、原水の水勢を羽根に当てて回転力とするのに比べて大幅に大きな力を得ることができ、補助動力が一切不要とすることができる大きな効果がある。
【発明を実施するための最良の形態】
【００１４】
実施の形態１．
図１はこの発明の実施の形態１によるろ過処理装置を示す構成図であり、ろ過処理装置は、主に容器１、円筒形スクリーン２、回転洗浄器３、開閉弁４及び制御器５で構成されている。
【００１５】
容器１はろ過処理室１０１とドレン室１０２から構成されており、ろ過処理室１０１とドレン室１０２は容器１内の隔壁１ａにより分割されている。
容器１のろ過処理室１０１は原水前室１０１Ａと原水室１０１Ｂとろ過水室１０１Ｃから構成されており、ろ過処理室１０１内には、隔壁１ａと支持部材１ｂによって円筒形スクリーン２が設置されている。
ろ過処理室１０１の原水前室１０１Ａは支持部材１ｂと容器１の内周面に囲まれた空間であり、原水前室１０１Ａは、容器１の壁面に配設されている原水流入口１ｃから導入された原水を一時的に貯留する部屋である。
【００１６】
ろ過処理室１０１の原水室１０１Ｂは円筒形スクリーン２の内周面と、隔壁１ａと、支持部材１ｂとに囲まれた空間であり、支持部材１ｂを境にして、原水前室１０１Ａと隣接している。
ただし、支持部材１ｂには開口があるため、原水前室１０１Ａ内の原水は、原水室１０１Ｂに移動可能であり、原水前室１０１Ａから原水室１０１Ｂに移動する際、その原水に含まれている大まかな夾雑物が支持部材１ｂに付着するため、原水室１０１Ｂには、大まかな夾雑物が除去された原水が貯留されることになる。
このため、詳細は後述するが、円筒形スクリーン２の内周面に対する付着物の蓄積速度を低下させることができる。
【００１７】
ろ過処理室１０１のろ過水室１０１Ｃは円筒形スクリーン２の外周面と、容器１の内周面と、隔壁１ａと、支持部材１ｂとに囲まれた空間であり、ろ過水室１０１Ｃは、容器１の壁面に配設されているろ過水流出口１ｄからろ過処理装置の外部に流出させるろ過処理水を貯留する部屋である。
容器１のドレン室１０２は円筒形スクリーン２の付着物などが含まれているドレン排水を貯留する部屋であり、容器１の壁面に配設されている排水口１ｅからドレン排水を排水する。
【００１８】
円筒形スクリーン２はろ過処理室１０１内に設置され、原水に含まれている夾雑物を付着させて、原水から夾雑物を除去するものである。
回転洗浄器３はろ過処理室１０１の原水室１０１Ｂとドレン室１０２とを連通するように配設され、回転洗浄器３は、円筒形スクリーン２の内周面に沿って回転することにより、原水と一緒に円筒形スクリーン２の付着物を吸引して、円筒形スクリーン２の内周面全体の付着物を除去する。
なお、回転洗浄器３は、ろ過処理室１０１の原水室１０１Ｂとドレン室１０２を連通する連通管３ａと、その連通管３ａの原水室１０１Ｂ側の外周面に配設された吸引ノズル３ｂと、連通管３ａのドレン室１０２側に設けられ、吐出口３ｃを備えた立上部３ｄとで主に構成されている。
【００１９】
回転洗浄器３の連通管３ａは両端が溶接等によって蓋で閉塞されており、各蓋にはシャフト３ｈ，３ｉが連通管３ａの管軸と同軸となるように連結されている。
シャフト３ｈ，３ｉは、容器１の軸受１ｎ，１ｐに対して回動自在に支持されており、これによって、回転洗浄器３は、連通管３ａの管軸を中心に回動するようになっている。
回転洗浄器３の吸引ノズル３ｂは先端に開口が施されており、その先端が円筒形スクリーン２の内面側の近傍に位置するように配置されている。吸引ノズル３ｂの先端は、回転洗浄器３が回転しても、円筒形スクリーン２の内面側に対する距離が変化しないようになっている。
【００２０】
なお、吸引ノズル３ｂは、連通管３ａの同一円周面において、１つあれば十分であるが、複数配置すれば、より洗浄能力が向上する。ただし、吸引ノズル３ｂの吸引力は、回転洗浄器３に配設された吸引ノズル３ｂの総個数に反比例して低下する特性があるので、同一円周面上に複数個配設する場合には、回転洗浄器３が作動するときの原水室１０１Ｂとドレン室１０２（回転洗浄器３の作動時のドレン室１０２の内圧は大気圧）との内圧差が大きくなるように、原水流入口１ｃから流入する原水の水圧を高くして原水室１０１Ｂの内圧を高める必要がある。
また、吸引ノズル３ｂの管軸方向の設置間隔であるが、これは１つの吸引ノズル３ｂが付着物を吸引可能な管軸方向の幅に基づいて設定する。
【００２１】
回転洗浄器３の立上部３ｄは、ドレン室１０２側の連通管３ａの外周面に対して放射状に立ち上げられた部位であり（２つの立上部３ｄは管軸を中心に対称に立上げられている）、立上部３ｄには、先端近傍の周面で連通管３ａの円周面の接線方向に吐出口３ｃがそれぞれ設けられている。
２本の立上管３ｄの吐出口３ｃの向きは、吐出口３ｃからの吐出水の水勢により発生する回転力が同一方向に働くように設けられている。
【００２２】
開閉弁４は円筒状の弁箱４ａ、弁体４ｂ及びバネ４ｃから主に構成されている。
開閉弁４の弁箱４ａの周面には流入口４ｄが設けられており、容器１のドレン室１０２にある排水口１ｅと連結している。
また、弁箱４ａの円形側面の一方には、排水用の大径の排出口４ｅが設けられており、他方には小径の取出口４ｆが設けられている。
開閉弁４の弁体４ｂは弁箱４ａに内蔵されており、弁体４ｂが側面の流入口４ｄを閉塞する位置よりも排出口４ｅ側に移動できないように、係止部４ｈが弁箱４ａの内面に設けられている。
【００２３】
開閉弁４のバネ４ｃは一端が弁箱４ａの取出口４ｆを有する円形側面に連結され、他端が弁体４ｂの円形側面に連結されており、バネ４ｃは、弁箱４ａの取出口４ｆを有する円形側面と弁体４ｂの円形側面が縮む方向に付勢している。
空間内が大気圧の場合には、開閉弁４内にバネ４ｃが設けられていることにより、弁体４ｂが取出口４ｆ側に移動して、流入口４ｄと排出口４ｅとが連通し、開閉弁４が開いた状態となるが、空間内に水が充水されて加圧状態となると、バネ４ｃの付勢力よりも水圧の方が勝るため、弁体４ｂが排出口４ｅ側に移動して、開閉弁４が閉じた状態となる。
【００２４】
制御器５は内部にダイヤフラム５ａ，５ｂが配置されて、内部の空洞が第１室５０１、第２室５０２、第３室５０３及び第４室５０４の４つの部屋に分割されている構造となっている。
制御器５のダイヤフラム５ａは第１室５０１と第２室５０２を分けており、例えば、ドレン室１０２の水圧が上昇して、第２室５０２の水圧が第１室５０１の水圧よりも高くなると、中央部が第１室５０１側に変形して、弁体５ｇを図中左側に押し圧する。
制御器５のダイヤフラム５ｂは第３室５０３と第４室５０４を分けており、例えば、第３室５０３にろ過処理水が流入して、第３室５０３の水圧が第４室５０４の水圧よりも高くなると、中央部が第４室５０４側に変形して、弁体５ｑを図中右側に押し圧する。
なお、ダイヤフラム５ｂには孔が設けられているが、その孔が弁体５ｑと勘合していることで、その孔が閉じられている。
【００２５】
制御器５の第１室５０１は、一部に円柱状の突出空間部５ｃを有する空洞で形成されている。
第１室５０１の突出空間部５ｃには取出口５ｄが設けられており、その取出口５ｄは連通管５ｆを介して第３室５０３の取出口５ｍと連結されている。
第１室５０１の突出空間部５ｃ以外の空洞部には取出口５ｅが設けられており、その取出口５ｅは連通管５ｉを介してろ過水室１０１Ｃの取出口１ｆと連結されている。
弁体５ｇは突出空間部５ｃに挿入されており、一端がダイヤフラム５ａによって支持され、他端がバネ５ｈによって付勢されている。弁体５ｇは、ダイヤフラム５ａが変形しない限り、一定の位置に停止して取出口５ｄを閉塞している。
バネ５ｈは突出空間部５ｃの先端（図中、左端）と弁体５ｇの他端（図中、弁体５ｇの左端）の間に挿入され、弁体５ｇを突出空間部５ｃから押し出す方向（図中、右側）に付勢している。
【００２６】
制御器５の第２室５０２には取出口５ｊが設けられており、その取出口５ｊは連通管５ｋを介してドレン室１０２の取出口１ｇと連結されている。
制御器５の第３室５０３には取出口５ｍが設けられており、この取出口５ｍは連通管５ｆを介して第１室５０１の取出口５ｄと連結されている。
【００２７】
制御器５の第４室５０４は、一部に円柱状の突出空間部５ｎを有する空洞で形成されている。
第４室５０４の突出空間部５ｎの奥（図中、右端）には、室外に排水するための流出口５ｐが設けられている。
弁体５ｑは流出口５ｐ側から突出空間部５ｎに挿入されており、一端がダイヤフラム５ｂによって支持され、他端がバネ５ｒによって付勢されている。弁体５ｑは、ダイヤフラム５ｂが変形しない限り、一定の位置に停止して、第４室５０４から流出口５ｐへの流路を閉塞している。
バネ５ｒは突出空間部５ｎの縮径部分に当接する方向に付勢している。
【００２８】
なお、弁体５ｑの内部には、第３室５０３内の水を少量ずつ第４室５０４の流出口５ｐから排出させるために連通孔５ｓが設けられている。このため、通常時は、第３室５０３は大気圧の状態となっている。
このほか、第４室５０４には取出口５ｔ，５ｕが設けられており、取出口５ｔは、外部から補給水管５ｚを介して第４室５０４内に補給水を流入させるために設けられている。また、取出口５ｕは、連通管５ｖを介して開閉弁４の取出口４ｆと連結されており、通常時は、取出口５ｔから流入する補給水が第４室５０４を経由して、開閉弁４の取出口４ｆへ供給されるため、開閉弁４は閉じた状態となっている。
【００２９】
次に動作について説明する。
このろ過処理装置における通常時のろ過処理においては、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入する。
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着するため、ろ過水室１０１Ｃに達した水は、ろ過処理水となる。
ろ過水室１０１Ｃ内のろ過処理水は、ろ過水流出口１ｄからろ過処理装置の外部に流出される。
【００３０】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態１では、この原水の水圧と、ろ過処理水の水圧との間の差圧が所定値以上になると、回転洗浄器３を作動させて、円筒形スクリーン２の内周面の付着物を除去（洗浄）するようにしている。
以下、円筒形スクリーン２の洗浄時の動作フローを詳細に説明する。
【００３１】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【００３２】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【００３３】
（５）さらに継続して、第３室５０３にろ過処理水が流入するため、ダイヤフラム５ｂが第４室５０４側に変形する。
これにより、ダイヤフラム５ｂに固定されている弁体５ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５ｑが開いて、流出口５ｐから排水される排水量よりも少ないため、第４室５０４内の圧力は大気圧程度にまで低下する。
【００３４】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
【００３５】
（９）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（１０）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
【００３６】
（１１）一方、（７）のとき、開閉弁４が開いてドレン室１０２内の水圧が低下することにより、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
（１２）突出空間部５ｃの取出口５ｄが閉塞されると、第３室５０３に対するろ過処理水の流出が停止するが、第３室５０３から連通孔５ｓを通じて流出口５ｐへ排水される水は少量ずつ排水するようになっており、開閉弁４が開いてから連通孔５ｓからの排水で第３室５０３内の圧力が低下して、ダイヤフラム５ｂ及び第４室５０４の弁体５ｑが元の位置に戻るまでの時間が、円筒形スクリーン２の内周面全体の付着物を十分除去できる時間となるように制御器５が構成されているので、ダイヤフラム５ｂが元の位置に戻るまでの間で、円筒形スクリーン２の内周面の付着物が回転洗浄器３によって十分に除去される。
連通孔５ｓからの排水で第３室５０３内の圧力が低下することにより、ダイヤフラム５ｂ及び第４室５０４の弁体５ｑが元の位置に戻って、第４室５０４から流出口５ｐへの流路が再び閉じられ、第４室５０４からの排水が停止する。
【００３７】
（１３）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１４）その後、吐出口３ｃからの吐出水によってドレン室１０２内の水圧が上昇して、原水室１０１Ｂと同圧になると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２の洗浄作業が終了する。
【００３８】
以上で明らかなように、この実施の形態１によれば、排水口１ｅを大気開放とするための排水口１ｅの開閉制御、回転洗浄器３の回転運動のための回転動力に水圧を利用しており、これらの制御にも水圧を利用していることから、電気が一切不要であり、ランニングコストの大幅な低減が図れる効果を奏する。
また、電気が一切不要であることから、山間部等の発電所からの送電線がない地域にろ過処理装置を適用しても、ディーゼル発電機等の発電機や、蓄電池等からなる電源設備を一切必要としない。よって、電源設備の設置コストが不要であり、特にディーゼル発電機の場合に問題となっていた燃料のコストを不要とすることができる。さらに、蓄電池の寿命は２年程度が一般的であり、蓄電池の交換にかかるコストが問題となっていたが、これも不要にできる大きな効果を奏する。
【００３９】
実施の形態２．
図２はこの発明の実施の形態２によるろ過処理装置を示す構成図であり、図１のろ過処理装置とは、制御器６がフラッシュバルブ構造のものを適用している点で大きく相違している。
この制御器６は、例えば、大便器などの洗浄水を制御するフラッシュバルブの構造を利用している。
この制御器６は、主シリンダ６ａと副シリンダ６ｈを有する本体６０と、主シリンダ６ａ内に配設されたピストンバルブ６１と、副シリンダ６ｈ内に配設された押し棒６２とによって主に構成されている。
【００４０】
本体６０の主シリンダ６ａは構造が筒状であり、両端が蓋をされている。
主シリンダ６ａの上側の蓋には、取出口６ｂが設けられており、下側の蓋には、取出口６ｃが設けられている。
また、下側の蓋に設けられている取出口６ｃは、連通管２０を介して開閉弁４の排水口４ｅ側の取出口４ｇと連通されている。
上側の蓋に設けられている取出口６ｂは、連通管２１を介してろ過水室１０１Ｃの取出口１ｆと連通されており、連通管２１には、主シリンダ６ａ内の水がろ過水室１０１Ｃに逆流しないようにするために、逆流防止弁２４が配設されている。
【００４１】
突起部６ｄは主シリンダ６ａの内周面の所定位置に、主シリンダ６ａの全周にわたって設けられており、突起部６ｄの上方には開口６ｆが設けられ、突起部６ｄの下方には開口６ｇが設けられている。
また、上方の開口６ｆには筒状体６ｋが接続されており、下方の開口６ｇには筒状の副シリンダ６ｈが接続されている。
なお、筒状体６ｋには、取出口６ｍを有する蓋が設けられている。
【００４２】
本体６０の副シリンダ６ｈは、反対側の端部（図中、左側）が蓋をされている。
隔壁６ｅは副シリンダ６ｈの内周面の所定位置に設けられ、押し棒６２が挿通可能な開口を備えている。
なお、隔壁６ｅよりも蓋側の副シリンダ６ｈ内は、所定位置まで同一径であり、そこから縮径して蓋まで同一径となっている。
副シリンダ６ｈの蓋には取出口６ｊが設けられている。
【００４３】
主シリンダ６ａのピストンバルブ６１は、主シリンダ６ａ内の上端蓋と突起部６ｄとの間を移動するように配設されている。
ピストンバルブ６１は、筒状弁体６１１と、筒状弁体６１１の内部に配設され、弁体部６１２ａと弁棒部６１２ｂが一体をなしている逃し弁体６１２とにより、主に構成されている。
ピストンバルブ６１の筒状弁体６１１は概ね筒状の外形を有しており、外径が主シリンダ６ａの突起部６ｄを通過することが可能な程度の大きさとなっている。また、上方端部の周縁と中間位置の外周面には、それぞれ全周にわたって突起部６１１ａ，６１１ｂが設けられている。
また、上方端部の周縁の突起部６１１ａには全周にわたってパッキン６３が設けられ、パッキン６３がピストンバルブ６１と主シリンダ６ａの内周面とを水密に保持している。
【００４４】
中間位置の突起部６１１ｂは、主シリンダ６ａの内周面の突起部６ｄと当接するように設けられており、ピストンバルブ６１が突起部６１１ｂの位置よりも下に移動できないようになっている。
また、主シリンダ６ａの内面の突起部６ｄの上方側の全周にはパッキン６４が設けられており、ピストンバルブ６１の中間位置の突起部６１１ｂと当接しているときは、パッキン６４が水密状態を保持している。
隔壁６１１ｃは筒状弁体６１１の内周面の中間位置に設けられ、逃し弁体６１２の弁棒部６１２ｂが挿通可能な程度の開口を有している。
パッキン６５は隔壁６１１ｃの上方に、パッキン支持材６６によって固定されている。
【００４５】
逃し弁体６１２の弁棒部６１２ｂは隔壁６１１ｃの開口の上方から通され、弁体部６１２ａの上方にバネ６７が配設されている。
バネ６７は係止部材６８によって筒状弁体６１１に支持されており、逃し弁体６１２の弁体部６１２ａは、バネ６７の付勢力によって、パッキン６５に押し当てられて水密を保持している。
【００４６】
制御器６の水圧室６０１は主シリンダ６ａの上端蓋とピストンバルブ６１の上端との間に形成されている部屋である。
制御器６の流入室６０２は筒状体６ｋとピストンバルブ６１との間に形成されている部屋である。
制御器６の吐水室６０３は主シリンダ６ａの下端蓋とピストンバルブ６１の下端との間に形成されている部屋である。
制御器６の感知室６０４は副シリンダ６ｈの蓋と押し棒６２の弁体部６２ａとの間に形成されている部屋である。
なお、副シリンダ６ｈの取出口６ｊ、流入室６０２の取出口６ｍ、開閉弁４の取出口４ｆ及びドレン室の取出口１ｇは、それぞれ連通管２２，２３によって接続されている。
【００４７】
押し棒６２は弁体部６２ａと弁棒部６２ｂから一体的に形成されており、広がる方向に付勢するバネ６９が弁棒部６２ｂに挿通されている。
バネ６９は弁棒部６２ｂに挿通され、制御器６が非動作時には、弁体部６２ａを副シリンダ６ｈの縮径位置で係止するように押し圧する。
また、制御器６の非動作時において、押し棒６２の弁棒部６２ｂの先端は、逃し弁体６１２の弁棒部６１２ｂに力を加えないような位置になっている。
【００４８】
次に動作について説明する。
図２のろ過処理装置における通常時のろ過処理においては、図１のろ過処理装置と同様に、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入する。
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着されるため、ろ過水室１０１Ｃに達した水は、ろ過処理水となる。
ろ過水室１０１Ｃ内のろ過処理水は、ろ過水流出口１ｄからろ過処理装置の外部に流出される。
【００４９】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態２では、この原水の水圧と、ろ過処理水の水圧との間の差圧が所定値以上になると、回転洗浄器３を作動させて、円筒形スクリーン２の内周面の付着物を除去（洗浄）するようにしている。
【００５０】
以下、円筒形スクリーン２の洗浄時の動作フローを詳細に説明する。
ただし、円筒形スクリーン２に対する付着物の堆積量が増大していくと、ドレン室１０２内の水圧が上昇していくが、あらかじめ、円筒形スクリーン２を洗浄する必要があるときのドレン室１０２内の水圧を調べておき、その水圧が感知室６０４にかかった時に、押し棒６２が逃し弁体６１２の弁棒部６１２ｂを押すように、押し棒６２を付勢しているバネ６９の強さ等で調整されているものとする。
【００５１】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器６の感知室６０４に伝達されている。
即ち、ドレン室１０２の水圧が上昇すると、連通管２２を通じて制御器６の感知室６０４の水圧も上昇する。感知室６０４の水圧が所定圧力以上になると、感知室６０４の水圧によって押し棒６２がバネ６９の付勢力に抗して吐水室６０３側に移動し、押し棒６２が逃し弁体６１２の弁棒部６１２ｂを押すようになる。
【００５２】
（３）逃し弁体６１２の弁棒部６１２ｂが押し棒６２に押されるようになると、逃し弁体６１２の弁体部６１２ａを押圧しているバネ６７の付勢力に抗して弁体部６１２ａが傾斜する。これにより、水密状態が解かれて、水圧室６０１内の水が吐水室６０３に一気に流出する。
（４）この状態のときも、水圧室６０１の取出口６ｂからろ過水室１０１Ｃの水が流入しているが、取出口６ｂの径が小さいため、水圧室６０１の流入水量よりも流出水量の方が大幅に多く、また、流入室６０２の水圧がピストンバルブ６１にかかっているため、ピストンバルブ６１は、一気に主シリンダ６ａの上端まで移動する。
（５）ピストンバルブ６１が主シリンダ６ａの上端まで移動して開くことにより、流入室６０２と吐水室６０３とが連通される。
このため、流入室６０２の水が一気に吐水室６０３に流入し、その水が連通管２０を通じて開閉弁４の二次側の排出口４ｅから排出される。
【００５３】
（６）このとき、制御器６の感知室６０４には、ドレン室１０２から水が常時流入しているが、ドレン室１０２からの水は、流入室６０２から排水される排水量と比べて大幅に少ない。
このため、開閉弁４内に充水された水が取出口４ｆから連通管２３を経由して、制御器６の流入室６０２から制御器６の外部に排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
【００５４】
（７）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
（８）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（９）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
【００５５】
（１０）一方、（４）でピストンバルブ６１が開いたとき、制御器６では、感知室６０４の水も、流入室６０２から制御器６の外部に排水される。
このため、感知室６０４の水圧が低下して、バネ６９が押し棒６２を押す力が勝り、押し棒６２が副シリンダ６ｈの縮径部（制御器６の非作動時における位置）まで移動する。
これにより、逃し弁体６１２の弁棒部６１２ｂを押す力がなくなるため、逃し弁体６１２の弁体部６１２ａも初期位置に戻り、再び水密状態となる。
（１１）また、容器１のろ過水室１０１Ｃから少量ずつの水が連通管２１を介して水圧室６０１に流入し、ピストンバルブ６１を押し下げていくようになる。
ピストンバルブ６１が可動範囲の最下端に達すると、主シリンダ６ａの突起部６ｄとピストンバルブ６１の突起部６１１ｂとが水密状態となる。
【００５６】
（１２）このとき、既に、円筒形スクリーン２の付着物の洗浄が十分完了している状態となっているように、ピストンバルブ６１が開いてから閉じるまでの時間が、水圧室６０１への水の流入量等によって調整されている。
ピストンバルブ６１が閉じると、流入室６０２からの水の排出が停止し、ドレン室１０２から流入する水が、流入室６０２や開閉弁４内に流入する。
（１３）これにより、開閉弁４の弁体４ｂが水圧で元の位置に戻って、開閉弁４の流入口４ｄが閉じられ、ドレン室１０２からのドレン排水が停止する。
（１４）その後、吐出口３ｃからの吐出水によってドレン室１０２内の水圧が上昇して、原水室１０１Ｂに同圧となると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２の洗浄作業が終了する。
【００５７】
以上、この実施の形態２によるろ過処理装置によれば、制御器６をフラッシュバルブ構造のものを適用したことにより、上記実施の形態１に示した効果のほかに、以下の効果を奏する。
制御器５がダイヤフラム５ａ，５ｂを使用する場合、耐久性が低く、部品の交換頻度が高かったが、フラッシュバルブ構造の制御器６の場合は、部品の耐久性が高く、部品の交換頻度を低く抑えることができ、部品交換に要する材料費及び人件費を抑制できる大きな効果を奏する。また、フラッシュバルブは、大便器用に大量に生産されているものであり、特殊な部品を使用していないため、安価に製造できる効果も奏する。
【００５８】
実施の形態３．
図３はこの発明の実施の形態３によるろ過処理装置を示す構成図である。
図３のろ過処理装置では、図２のろ過処理装置におけるフラッシュバルブ構造の制御器６を開閉弁７に適用し、フラッシュバルブ構造の開閉弁７が、円筒形スクリーン２の洗浄制御と洗浄排水の両方の役割を持つようにしている。
この開閉弁７は、主シリンダ７ａと副シリンダ７ｈを有する本体７０と、主シリンダ７ａ内に配設されたピストンバルブ７１と、副シリンダ７ｈ内に配設された押し棒７２とによって主に構成されている。
【００５９】
本体７０の主シリンダ７ａは構造が筒状であり、両端が蓋をされている。
主シリンダ７ａの上側の蓋には、取出口７ｂが設けられており、下側の蓋には、排水口７ｃが設けられている。
上側の蓋に設けられている取出口７ｂは、連通管２１を介してろ過水室１０１Ｃの取出口１ｆと連通されており、連通管２１には、主シリンダ７ａ内の水がろ過水室１０１Ｃに逆流しないようにするために、逆流防止弁２４が配設されている。
【００６０】
突起部７ｄは主シリンダ７ａの内周面の所定位置に、主シリンダ７ａの全周にわたって設けられており、突起部７ｄの上方には開口７ｆが設けられ、突起部７ｄの下方には開口７ｇが設けられている。
また、上方の開口７ｆには筒状体７ｋが接続されており、下方の開口７ｇには筒状の副シリンダ７ｈが接続されている。
なお、筒状体７ｋには、取出口７ｍを有する蓋が設けられている。取出口７ｍは、容器１のドレン室１０２にある排水口１ｅと連結している。
【００６１】
本体７０の副シリンダ７ｈは、反対側の端部（図中、右側）が蓋をされている。
隔壁７ｅは副シリンダ７ｈの内周面の所定位置に設けられ、押し棒７２が挿通可能な開口を備えている。
なお、隔壁７ｅよりも蓋側の副シリンダ７ｈ内は、所定位置まで同一径であり、そこから縮径して蓋まで同一径となっている。
副シリンダ７ｈの蓋には取出口７ｊが設けられている。
【００６２】
主シリンダ７ａのピストンバルブ７１は、主シリンダ７ａ内の上端蓋と突起部７ｄとの間を移動するように配設されている。
ピストンバルブ７１は、筒状弁体７１１と、筒状弁体７１１の内部に配設され、弁体部７１２ａと弁棒部７１２ｂが一体をなしている逃し弁体７１２とにより、主に構成されている。
ピストンバルブ７１の筒状弁体７１１は概ね筒状の外形を有しており、外径が主シリンダ７ａの突起部７ｄを通過することが可能な程度の大きさとなっている。また、上方端部の周縁と中間位置の外周面には、それぞれ全周にわたって突起部７１１ａ，７１１ｂが設けられている。
また、上方端部の周縁の突起部７１１ａには全周にわたってパッキン７３が設けられ、パッキン７３がピストンバルブ７１と主シリンダ７ａの内周面とを水密に保持している。
【００６３】
中間位置の突起部７１１ｂは、主シリンダ７ａの内周面の突起部７ｄと当接するように設けられており、ピストンバルブ７１が突起部７１１ｂの位置よりも下に移動できないようになっている。
また、主シリンダ７ａの内面の突起部７ｄの上方側の全周にはパッキン７４が設けられており、ピストンバルブ７１の中間位置の突起部７１１ｂと当接しているときは、パッキン７４が水密状態を保持している。
隔壁７１１ｃは筒状弁体７１１の内周面の中間位置に設けられ、逃し弁体７１２の弁棒部７１２ｂが挿通可能な程度の開口を有している。
パッキン７５は隔壁７１１ｃの上方に、パッキン支持材７６によって固定されている。
【００６４】
逃し弁体７１２の弁棒部７１２ｂは隔壁７１１ｃの開口の上方から通され、弁体部７１２ａの上方にバネ７７が配設されている。
バネ７７は係止部材７８によって筒状弁体７１１に支持されており、逃し弁体７１２の弁体部７１２ａは、バネ７７の付勢力によって、パッキン７５に押し当てられて水密を保持している。
【００６５】
開閉弁７の水圧室７０１は主シリンダ７ａの上端蓋とピストンバルブ７１の上端との間に形成されている部屋である。
開閉弁７の流入室７０２は筒状体７ｋとピストンバルブ７１との間に形成されている部屋である。
開閉弁７の吐水室７０３は主シリンダ７ａの下端蓋とピストンバルブ７１の下端との間に形成されている部屋である。
開閉弁７の感知室７０４は副シリンダ７ｈの蓋と押し棒７２の弁体部７２ａとの間に形成されている部屋である。
なお、副シリンダ７ｈの取出口７ｊ及びドレン室１０２の取出口１ｇは、連通管２２によって接続されている。
【００６６】
押し棒７２は弁体部７２ａと弁棒部７２ｂから一体的に形成されており、広がる方向に付勢するバネ７９が弁棒部７２ｂに挿通されている。
バネ７９は弁棒部７２ｂに挿通され、開閉弁７が閉じているときには、弁体部７２ａを副シリンダ７ｈの縮径位置で係止するように押し圧する。
また、開閉弁７が閉じている時において、押し棒７２の弁棒部７２ｂの先端は、逃し弁体７１２の弁棒部７１２ｂに力を加えないような位置になっている。
【００６７】
次に動作について説明する。
図３のろ過処理装置における通常時のろ過処理においては、開閉弁７におけるピストンバルブ７１の筒状弁体７１１が、開口７ｆを閉塞する位置にあり、ドレン室１０２内のドレン排水が開閉弁７に流入せずに、排水口７ｃから排水されない状態になっている。
原水流入口１ｃから流入する原水は、ろ過処理室１０１の原水前室１０１Ａに貯留された後、支持部材１ｂの開口を通じて、原水室１０１Ｂに流入する。
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着されるため、ろ過水室１０１Ｃに達した水は、ろ過処理水となる。
ろ過水室１０１Ｃ内のろ過処理水は、ろ過水流出口１ｄからろ過処理装置の外部に流出される。
【００６８】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態３では、この原水の水圧と、ろ過処理水の水圧との間の差圧が所定値以上になると、回転洗浄器３を作動させて、円筒形スクリーン２の内周面の付着物を除去（洗浄）するようにしている。
【００６９】
以下、円筒形スクリーン２の洗浄時の動作フローを詳細に説明する。
ただし、円筒形スクリーン２に対する付着物の堆積量が増大していくと、ドレン室１０２内の水圧が上昇していくが、あらかじめ、円筒形スクリーン２を洗浄する必要があるときのドレン室１０２内の水圧を調べておき、その水圧が感知室７０４にかかった時に、押し棒７２が逃し弁体７１２の弁棒部７１２ｂを押すように、押し棒７２を付勢しているバネ７９の強さ等で調整されているものとする。
【００７０】
（１）上記の通り、円筒形スクリーン２の内周面における付着物の堆積量が増大してくると、原水室１０１Ｂ及びドレン室１０２の水圧が上昇する。
（２）ドレン室１０２の水圧は、開閉弁７の感知室７０４に伝達されている。
即ち、ドレン室１０２の水圧が上昇すると、連通管２２を通じて開閉弁７の感知室７０４の水圧も上昇する。感知室７０４の水圧が所定圧力以上になると、感知室７０４の水圧によって押し棒７２がバネ７９の付勢力に抗して吐水室７０３側に移動し、押し棒７２が逃し弁体７１２の弁棒部７１２ｂを押すようになる。
【００７１】
（３）逃し弁体７１２の弁棒部７１２ｂが押し棒７２に押されるようになると、逃し弁体７１２の弁体部７１２ａを押圧しているバネ７７の付勢力に抗して弁体部７１２ａが傾斜する。これにより、水密状態が解かれて、水圧室７０１内の水が吐水室７０３に一気に流出する。
（４）この状態のときも、水圧室７０１の取出口７ｂからろ過水室１０１Ｃの水が流入しているが、取出口７ｂの径が小さいため、水圧室７０１の流入水量よりも流出水量の方が大幅に多く、また、流入室７０２の水圧がピストンバルブ７１にかかっているため、ピストンバルブ７１は、一気に主シリンダ７ａの上端まで移動する。
（５）ピストンバルブ７１が主シリンダ７ａの上端まで移動して開くことにより、流入室７０２と吐水室７０３とが連通される。
このため、流入室７０２の水が一気に吐水室７０３に流入し、その水が排出口７ｃから排出される。
【００７２】
（６）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内周面の付着物が吸引される。
（７）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（８）回転洗浄器３の吸引ノズル３ｂは、円筒形スクリーン２の内周面に沿って回転しながら、原水と一緒に付着物を吸引することにより、円筒形スクリーン２の内周面全体の付着物を除去する。
【００７３】
（９）一方、（４）でピストンバルブ７１が開いたとき、容器１のドレン室１０２内の圧力が低下することにより、連通管２２で連通している開閉弁７の感知室７０４の水圧が低下する。このとき、バネ７９が押し棒７２を押す力が勝り、押し棒７２が副シリンダ７ｈの縮径部（開閉弁７が閉じているときの位置）まで移動する。
これにより、逃し弁体７１２の弁棒部７１２ｂを押す力がなくなるため、逃し弁体７１２の弁体部７１２ａも初期位置に戻り、再び水密状態となる。
（１０）また、容器１のろ過水室１０１Ｃから少量ずつの水が連通管２１を介して水圧室７０１に流入し、ピストンバルブ７１を押し下げていくようになる。
ピストンバルブ７１が可動範囲の最下端に達すると、主シリンダ７ａの突起部７ｄとピストンバルブ７１の突起部７１１ｂとが水密状態となる。
【００７４】
（１１）このとき、既に、円筒形スクリーン２の付着物の洗浄が十分完了している状態となっているように、ピストンバルブ７１が開いてから閉じるまでの時間が、水圧室７０１への水の流入量等によって調整されている。
ピストンバルブ７１が閉じると、流入室７０２からの水の排出が停止し、ドレン室１０２から流入する水が、流入室７０２に流入する。
（１２）これにより、ピストンバルブ７１の筒状弁体７１１が水圧で元の位置に戻って、開口７ｆが閉じられ、ドレン室１０２からのドレン排水が停止する。
（１３）その後、吐出口３ｃからの吐出水によってドレン室１０２内の水圧が上昇して、原水室１０１Ｂと同圧になると、吸引ノズル３ｂの吸引力がなくなる。
また、立上部３ｄの吐出口３ｃからの吐出水も停止し、連通管３ａへの回転力もなくなるため、回転洗浄器３の回転運動が停止し、円筒形スクリーン２の洗浄作業が終了する。
【００７５】
この実施の形態３による過処理装置によれば、装置全体の部品点数を少なくすることができ、製造コストを大幅に低減することができる効果を奏する。また、部品点数が少ないため、メンテナンスが容易になる効果も奏する。
【００７６】
実施の形態４．
図４はこの発明の実施の形態４によるろ過処理装置を示す構成図であり、図４のろ過処理装置は、図３のろ過処理装置に対して、ドレン室１０２とろ過水室１０１Ｃとの差圧で動作する差圧ピストン８を配設し、差圧ピストン８の第３室８０３と開閉弁７の感知室７０４とを連通管２２で接続するようにしている。
【００７７】
差圧ピストン８は主にダイヤフラム８ａとピストン８ｂで構成されており、差圧ピストン８は、ドレン室１０２とろ過水室１０１Ｃとの差圧で動作する。
差圧ピストン８のダイヤフラム８ａは第１室８０１の水圧が第２室８０２の水圧より高くなると、中央部が図中右側に変形する。
差圧ピストン８のピストン８ｂは一端がダイヤフラム８ａに固定されており、ダイヤフラム８ａが図中右側に変形すると、図中右側に移動する。
【００７８】
第１室８０１には取出口８ｃが設けられており、取出口８ｃは、連通管２５を介してドレン室１０２の取出口１ｇと連結されている。
第２室８０２には取出口８ｄが設けられており、取出口８ｄは、連通管２６を介して過水室１０１Ｃの取出口１ｆと連結されている。
第３室８０３には取出口８ｅが設けられており、取出口８ｅは、連通管２２を介して開閉弁７の感知室７０４の取出口７ｊと連結されている。
【００７９】
差圧ピストン８の第１室８０１には、ドレン室１０２の水圧が伝達され、差圧ピストン８の第２室８０２には、ろ過水室１０１Ｃの水圧が伝達される。
したがって、ドレン室１０２の水圧とろ過水室１０１Ｃの水圧との差圧が、所定圧力以上になると、差圧ピストン８のダイヤフラム８ａが変形して、ピストン８ｂが移動することにより、差圧ピストン８の第３室８０３に充たされている水が、開閉弁７の感知室７０４に流入し、以降、上記実施の形態３と同様にして、円筒形スクリーン２の内周面における付着物の洗浄が開始される。
なお、この実施の形態３に示した差圧ピストン８は、実施の形態２におけるろ過処理装置にも適用可能である。
【００８０】
以上から明らかなように、この実施の形態４による過処理装置によれば、ドレン室１０２とろ過水室１０１Ｃとの差圧に伴うダイヤフラム８ａの変形量を事前に調整しておくようにすれば、円筒形スクリーン２の洗浄を実施するタイミングをドレン室１０２とろ過水室１０１Ｃの差圧で設定することができるようになる。
これにより、実施の形態３に示したろ過処理装置を、水圧が大きく変動する原水に適用する場合では、ドレン室１０２内の水圧も大きく変動するため、制御器７の感知室７０４への供給水圧が不安定になり、制御器７が円筒形スクリーン２の内周面の洗浄が必要なときに的確に作動しないことがあるが、この実施の形態４に示したろ過処理装置の場合では、水圧が大きく変動する原水をろ過処理装置でろ過処理する場合においても、円筒形スクリーン２が同程度目詰まりした状態のときに常に確実に洗浄することができる効果を奏する。
【００８１】
実施の形態５．
図５はこの発明の実施の形態５によるろ過処理装置を示す構成図であり、図５のろ過処理装置は、回転洗浄器３が円筒形スクリーン２を洗浄する時、連通管３ａの軸を中心に回転運動するだけでなく、ピストン９ａとシリンダ９ｂによる往復動手段９を備えて、同時に軸方向に往復動する（吸引ノズル３ｂが円筒形スクリーン２の内面を螺旋軌道で移動する）点で図１のろ過処理装置と大きく相違している。
【００８２】
制御器５のダイヤフラム５ｗは第５室５０５の水圧を第３室５０３に伝える役割を担っている。また、第３室５０３および第４室５０４にまたがって配設されている弁体５１ｑは、実施の形態１における弁体５ｑとは、ダイヤフラム５ｗからの押し圧によっても移動するようにダイヤフラム５ｂのほかにダイヤフラム５ｗにも取り付けられた状態となっている点で異なっている。
第５室５０５には取出口５ｘが設けられており、取出口５ｘは、連通管９ｆを介して往復動手段９の取出口９ｅと連結されている。
また、第４室５０４には取出口５ｙが設けられており、取出口５ｙは、連通管９ｄを介して往復動手段９の取出口９ｃと連結されている。
【００８３】
往復動手段９はピストン９ａとシリンダ９ｂから構成されており、回転洗浄器３が円筒形スクリーン２を洗浄する際、回転洗浄器３を軸方向に往復動させる。
往復動手段９のピストン９ａは一端が回転洗浄器３の回転軸と同軸となるように、かつ回転洗浄器３が回動自在となるように接続されており、回転洗浄器３の回転軸を軸方向に往復動させる。
往復動手段９のシリンダ９ｂはピストン９ａを内包する筒状体であり、シリンダ９ｂには取出口９ｃ，９ｅが設けられている。
【００８４】
次に動作について説明する。
図５のろ過処理装置における通常時のろ過処理においては、図１のろ過処理装置と同様に、開閉弁４の弁体４ｂが側面の流入口４ｄを閉塞する位置に停止しており、ドレン室１０２内のドレン排水が、排出口４ｅから排水されない状態になっている。
原水流入口１ｃから流入する原水は、ろ過処理室１０１の原水前室１０１Ａに貯留された後、支持部材１ｂの開口を通じて、原水室１０１Ｂに流入する。
その後、原水室１０１Ｂに達した原水は、円筒形スクリーン２を通過してろ過水室１０１Ｃに達するが、その原水に含まれている夾雑物（円筒形スクリーン２を通過できない不純物）は、円筒形スクリーン２の内周面に付着されるため、ろ過水室１０１Ｃに達した水は、ろ過処理水となる。
ろ過水室１０１Ｃ内のろ過処理水は、ろ過水流出口１ｄからろ過処理装置の外部に流出される。
【００８５】
一方、円筒形スクリーン２を通過できない不純物は、付着物として、円筒形スクリーン２の内周面に堆積され、この付着物の堆積量が増大していくと、原水室１０１Ｂ内の原水の水圧と、ろ過水室１０１Ｃ内のろ過処理水の水圧との間の差圧が比例して増大し、これに伴って、円筒形スクリーン２によるろ過処理量が減少する。
そこで、この実施の形態５では、この原水の水圧と、ろ過処理水の水圧との間の差圧が所定値以上になると、回転洗浄器３を作動させて、円筒形スクリーン２の内周面の付着物を除去（洗浄）するようにしている。
以下、円筒形スクリーン２の洗浄時の動作フローを詳細に説明する。
【００８６】
（１）上記の通り、円筒形スクリーン２の内周面における付着物の堆積量が増大してくると、原水室１０１Ｂ及びドレン室１０２の水圧が上昇する。
（２）ドレン室１０２の水圧は、制御器５の第２室５０２に伝達されており、ろ過水室１０１Ｃの水圧は、制御器５の第１室５０１に伝達されている。
ドレン室１０２の水圧が上昇すると、制御器５の第２室５０２の水圧が第１室５０１の水圧より高くなり、ダイヤフラム５ａが第１室５０１側に変形する。
【００８７】
（３）ダイヤフラム５ａが第１室５０１側に変形すると、第１室５０１の弁体５ｇがダイヤフラム５ａに押し圧される。
第１室５０１では、通常時は、伸びる方向に付勢するバネ５ｈによって弁体５ｇが押し上げられており（図中、右側に押している）、弁体５ｇが連通管５ｆに対する取出口５ｄを塞いでいるが、バネ５ｈの反力以上の力で、ダイヤフラム５ａにより押し圧されると、弁体５ｇが図中左側に移動して取出口５ｄが開かれる。
（４）弁体５ｇが移動して取出口５ｄが開くと、第１室５０１内の水が連通管５ｆを通じて第３室５０３に流れ込むようになる。
第１室５０１には、ろ過水室１０１Ｃ内のろ過処理水が常時流入してくるため、継続して、第１室５０１内の水が第３室５０３に流入する。
このとき、第３室５０３内のろ過処理水は、第４室５０４に配設されている弁体５１ｑの連通孔５ｓを通過して、突出空間部５ｎの排水口５ｐから排水されるが、この排水量は、第１室５０１から第３室５０３に流入する流入水量よりも大幅に少ないため、第３室５０３内はろ過処理水で満たされる。
【００８８】
（５）さらに継続して、第３室５０３にろ過処理水が流入するため、ダイヤフラム５ｂが第４室５０４側に変形する。
これにより、ダイヤフラム５ｂに固定されている弁体５１ｑには、弾性バネ５ｒの反力以上の力がかかって押し下げられるため（図中、右側に移動）、第４室５０４と流出口５ｐとの流路が開かれて、第４室５０４内の水が流出口５ｐから排水される。
（６）このとき、第４室５０４には、補給水管５ｚから補給水が常時流入するようになっているが、その流入量は、弁体５１ｑが開いて、流出口５ｐから排水される排水量よりも少ないため、第４室５０４内の圧力は大気圧程度にまで低下する。
【００８９】
（７）第４室５０４内の圧力が大気圧程度にまで低下すると、開閉弁４内に充水されている水は、取出口４ｆから連通管５ｖを通じて第４室５０４に流入して、流出口５ｐから排水される。
これにより、開閉弁４の弁体４ｂを排出口４ｅ側に押す力が少なくなるため、バネ４ｃの縮む方向の付勢力によって弁体４ｂが図中左側に移動して流入口４ｄが開き、ドレン室１０２内のドレン排水が流入口４ｄを通じて、排出口４ｅから排出され始める。
（８）ドレン室１０２内のドレン排水の排出が開始されることにより、ドレン室１０２内の水圧が急激に低下して、原水室１０１Ｂとの間に圧力差が生じると、回転洗浄器３の吸引ノズル３ｂに吸引力が発生する。
回転洗浄器３の吸引ノズル３ｂに吸引力が発生すると、吸引ノズル３ｂの先端の開口から原水室１０１Ｂ内の原水と一緒に、円筒形スクリーン２の内面の付着物が吸引される。
【００９０】
（９）回転洗浄器３の吸引ノズル３ｂにより吸引された原水と付着物は、連通管３ａを通じて、立上部３ｄの吐出口３ｃから排水される。
また、この吐出したときの水勢によって、連通管３ａに回転力が与えられて、回転洗浄器３が連通管３ａの管軸を中心に回転運動を開始する。
（１０）一方、（７）の時と同時期において、円筒形スクリーン２の内周面全体の付着物が除去されると、ドレン室１０２とろ過水室１０１Ｃとの間の水圧差が低下する。
これにより、第１室５０１と第２室５０２との間の水圧差も低下して、ダイヤフラム５ａが元の位置に戻り（変形が解消）、弁体５ｇもバネ５ｈの付勢力によって元の位置に戻って、突出空間部５ｃの取出口５ｄが再び塞がれる。
（１１）突出空間部５ｃの取出口５ｄが閉塞されると、第３室５０３に対するろ過処理水の流出が停止する。
また、第３室５０３から連通孔５ｓを通じて流出口５ｐへ水が徐々に流出していくことによって、第３室５０３内の圧力は大気圧にまで低下していく。
（１２）しかし、（７）の時と同時期に、シリンダ９ｂの取出口９ｃと制御器５の第４室５０４も連通管９ｄで接続されているため、シリンダ９ｂ内の水圧も低下し始める。
そして、ピストン９ａのドレン室１０２側の水圧の方が高いため、ピストン９ａは、シリンダ９ｂの取出口９ｃ側に移動し始め、シリンダ９ｂ内の水は第４室５０４を経由して、流出口５ｐから少量ずつ排水されていくようになる。
また、シリンダ９ｂのもう１つの取出口９ｅと制御器５の第５室５０５とが連通管９ｆによって接続されているので、ピストン９ａが取出口９ｃ，９ｅ側に移動している間中、ピストン９ａで押された水の一部が第５室５０５に流入し続ける。
（１３）第１室５０１から第３室５０３への水の流入が停止した後は、第３室５０３の水圧で第４室５０４の弁体５１ｑが開いているのを継続させることができなくなるが、ピストン９ａから第５室５０５への水の流入が継続している限り（ピストン９ａが作動している限り）、第５室５０５の水圧によってダイヤフラム５ｗが第３室５０３側に変形し、それに伴って弁体５１ｑを第４室５０４側に押すことで、第４室５０４の弁体５１ｑを開いた状態に継続させる。
即ち、ピストン９ａが移動中は、第５室５０５内の水圧が高い状態を保持しているので、第４室５０４の弁体５１ｑは開いた状態を継続している。
【００９１】
（１４）吸引ノズル３ｂは、円筒形スクリーン２の内周面に沿って回転し、同時にピストン９ａが回転軸方向に移動する。つまり、円筒形スクリーン２の内周面を螺旋軌道で移動しながら、原水と一緒に付着物を吸引して、円筒形スクリーン２の内周面全体の付着物を除去する。
【００９２】
（１５）ピストン９ａが取出口９ｃ，９ｅ側の移動限界点まで移動したとき、ピストン９ａから第５室５０５への水の供給が停止し、第５室５０５内の水圧が低下して、ダイヤフラム５ｗおよび弁体５１ｑが元の位置に戻り、さらにダイヤフラム５ｂ及び第４室５０４の弁体５１ｑが元の位置に戻って、第４室５０４から流出口５ｐへの流路が再び閉じられ、第４室５０４からの排水が停止する。
（１６）補給水管５ｚから第４室５０４に補給水が流入することにより、第４室５０４内に補給水が充填され、さらに、第４室５０４から開閉弁４の取出口４ｆに給水される。
これにより、開閉弁４の弁体４ｂが水圧で元の位置に戻って、開閉弁４の流入口４ｄが閉じられ、ドレン室１０２からのドレン排水が停止する。
（１７）その後、吐出口３ｃからの吐出水によってドレン室１０２内の水圧が上昇して、原水室１０１Ｂと同圧となると、吸引ノズル３ｂの吸引力がなくなる。
また、立上部３ｄの吐出口３ｃからの吐出水も停止し、連通管３ａへの回転力もなくなるため、回転洗浄器３の回転運動が停止する。
（１８）第４室５０４からシリンダ９ｂへ水が供給され、ドレン室１０２側よりもシリンダ９ｂの取出口９ｃ，９ｅ側の水圧の方が高くなると、ピストン９ａがドレン室１０２側の移動限界点まで移動して、円筒形スクリーン２の洗浄作業が終了する。
【００９３】
以上で明らかなように、この実施の形態５による過処理装置によれば、回転洗浄器３の立上部３ｄの吐出口３ｃの回転運動と、ピストン９ａとシリンダ９ｂからなる往復動手段９による往復動によって、吸引ノズル３ｂを螺旋軌道で移動させる場合、制御器５によるシリンダ９ｂ内の水圧操作によって往復動を実現したので、電動機等の動力源を不要とすることができ、イニシャルコストの大幅な低減が図れる大きな効果を奏する。また、電気や発電機の稼動のための燃料等を不要とすることができる大きな効果も奏する。
また、吸引ノズル３ｂを円筒形スクリーン２の内面を螺旋軌道で移動させるため、１本の吸引ノズル３ｂが円筒形スクリーン２の内面の付着物を吸引する面積を大きくすることができるので、吸引ノズル３ｂの本数を大幅に減らすことができる効果を奏する。また、これによって、吸引ノズル３ｂの１本当りの吸引力が増大し、洗浄効率が大幅に向上する効果を奏する。
【００９４】
実施の形態６．
図６はこの発明の実施の形態６によるろ過処理装置を示す構成図である。
図６のろ過処理装置では、上記実施の形態２と同様に、制御器６がフラッシュバルブ構造のものを適用している点で図５のろ過処理装置と大きく相違している。また、シリンダ９ｂの取出口９ｃに接続する連通管９ｄが、連通管２３に分岐部を設けて接続している。つまり、シリンダ９ｂは、容器１のドレン室１０２、制御器６の流入室６０２および感知室６０４と連通している。さらに、制御器６は、ピストンバルブ６１が主シリンダ６ａ内を上昇し始めてから初期位置に戻るまでの時間を、シリンダ９ｂ内をピストン９ａが初期位置から取出口９ｃ側の移動限界点の位置まで移動する時間以上となるように調整されている。
その他のろ過処理装置の構成に関しては、実施の形態２と同様である。また、洗浄時の動作に関しては、開閉弁４が開弁するのとほぼ同時に、回転洗浄器３に回動自在に接続しているピストン９ａが初期位置から取出口９ｃ側の移動限界点まで移動することによって、回転洗浄器３の吸引ノズル３ｂが円筒形スクリーン２の内面を螺旋軌道で移動する点に関連する事項以外については、実施の形態２と同様である。
以上、この実施の形態６によるろ過処理装置によれば、上記実施の形態５に示した効果のほかに、上記実施の形態２に示した効果も同時に得られる。
【００９５】
実施の形態７．
図７はこの発明の実施の形態７によるろ過処理装置を示す構成図である。
図７のろ過処理装置では、上記実施の形態３と同様に、フラッシュバルブ構造の制御機能を有する開閉弁７を適用している点で図５のろ過処理装置と大きく相違している。
【００９６】
ただし、ピストン９ａとシリンダ９ｂを配設するために、排水口１ｅ及び開閉弁７をドレン室１０２の外周面に配置している。また、往復動手段９による回転洗浄器３の回転軸方向の移動の仕組みが異なり、シリンダ９ｂの取出口９ｃを容器１のろ過水室１０１Ｃに設けた取出口１ｈに連通管９ｄで接続している。
これによって、ピストン９ａのドレン室１０２側にはドレン室１０２の水圧がかかり、シリンダ９ｂの取出口９ｃ側にはろ過水室１０１Ｃの水圧がかかる。通常のろ過処理時は、ドレン室１０２側の水圧の方が高くなるので、ピストン９ａや回転洗浄器３の洗浄動作前の初期位置は、シリンダ９ｂの取出口９ｃ側の移動限界点となる。
洗浄動作開始時、つまり、開閉弁７が開いたとき、回転洗浄器３が立上部３ｄの吐出口３ｃからの吐水で回転を始める。このとき、同時に、ドレン室１０２の水圧は、ろ過水室１０１Ｃの水圧よりも低下するので、ピストン９ａもシリンダ９ｂの取出口９ｃ側の限界点からドレン室１０２側の移動限界点に移動していくようになる。これにより、吸引ノズル３ｂは、円筒形スクリーン２の内面を螺旋運動しながら、付着物を吸引していくようになる。なお、制御器７は、ピストンバルブ７１が主シリンダ７ａ内を取出口７ｂ側に移動し始めてから初期位置に戻るまでの時間を、シリンダ９ｂ内をピストン９ａが初期位置である取出口９ｃ側の移動限界点からドレン室１０２側の移動限界点まで移動する時間以上となるように調整されている。
【００９７】
この実施の形態７によるろ過処理装置によれば、上記実施の形態５に示した効果のほかに、上記実施の形態３に示した効果も同時に得られる。
【００９８】
実施の形態８．
図８はこの発明の実施の形態８によるろ過処理装置を示す構成図である。
図８のろ過処理装置では、上記実施の形態４と同様に、ドレン室１０２とろ過水室１０１Ｃとの差圧で動作する差圧ピストン８を配設し、差圧ピストン８の第３室８０３と開閉弁７の感知室７０４とを連通管２２で接続している点で、図７のろ過処理装置と大きく相違している。
【００９９】
この実施の形態８によるろ過処理装置によれば、上記実施の形態７に示した効果のほかに、上記実施の形態４に示した効果も同時に得られる。
【０１００】
実施の形態９．
図９はこの発明の実施の形態９によるろ過処理装置を示す構成図である。
図９のろ過処理装置では、往復動手段９として、回転洗浄器３の立上部３ｄの吐出口３ｃの方向を変えて、回転洗浄器３の原水室１０１Ｂからドレン室１０２側への回転軸方向の移動の推進力とし、かつ、原水前室１０１Ａと回転洗浄器３とをバネ９ｇで接続して、ドレン室１０２側から原水室１０１Ｂ側への回転軸方向の移動の推進力とし、これらを往復動手段９とした点で図５のろ過処理装置と大きく相違している。
【０１０１】
即ち、この実施の形態９では、回転洗浄器３における立上部３ｄの吐出口３ｃの吐出方向を、連通管３ａの円形断面方向から原水室１０１Ｂ側に斜めに向けた方向として、回転洗浄器３が動作して吐出口３ｃから水が吐水する時、回転洗浄器３が回転するための回転力と、原水室１０１Ｂ側からドレン室１０２側に移動する推進力の両方の力を生み出す構成としている。
また、この実施の形態９では、回転洗浄器３が回動自在となるように、容器１の原水前室１０１Ａと回転洗浄器３のシャフト３ｈを縮む方向に付勢するバネ９ｇとを回動自在に連結している。通常、ろ過処理時には、バネ９ｇの付勢力によって、回転洗浄器３は、原水室１０１Ｂ側の移動限界点に位置するようになっている。そして、回転洗浄器３が動作し、回転洗浄器３がドレン室１０２側の移動限界点まで移動したとき、バネ９ｇが伸張することによって、回転洗浄器３を原水室１０１Ｂ側の移動限界点まで引き戻す推進力を蓄え、開閉弁７が閉じて回転洗浄器３の吐出口３ｃからの吐出水が止まったとき、その推進力によって、回転洗浄器３は、原水室１０１Ｂ側の移動限界点まで引き戻される。
なお、この実施の形態９の往復動手段９の場合、原水の水圧によって、原水室１０１Ｂ側の水圧とドレン室１０２側の水圧との間の差圧が変わるので、吸引ノズル３ｂのドレン室１０２側への移動ピッチも変わってしまい、正常な吸引ノズル３ｂが正規の螺旋軌道を通らない恐れがあるが、バネ９ｇの付勢力を調整することで吐出口３ｃによって発生する力とのバランスを取るとよい。
【０１０２】
以上により、この実施の形態９によるろ過処理装置によれば、上記実施の形態５に示した効果のほかに、制御器の構造をシンプルにできる効果も同時に得られる。
【０１０３】
実施の形態１０．
図１０はこの発明の実施の形態１０によるろ過処理装置を示す構成図である。
図１０のろ過処理装置は、上記実施の形態９と同様に、図６のろ過処理装置の往復動手段９をピストン９ａとシリンダ９ｂによる構成に代えて、バネ９ｇからなる構成としたものである。
【０１０４】
この実施の形態１０によるろ過処理装置によれば、上記実施の形態６に示した効果のほかに、上記実施の形態９に示した効果も同時に得られる。
【０１０５】
実施の形態１１．
図１１はこの発明の実施の形態１１によるろ過処理装置を示す構成図である。
図１１のろ過処理装置は、上記実施の形態９と同様に、図７のろ過処理装置の往復動手段９をピストン９ａとシリンダ９ｂによる構成に代えて、バネ９ｇからなる構成としたものである。
ただし、ドレン室の排水口１ｅの位置及び開閉弁７の設置位置は、図３のろ過処理装置と同じ位置に配置されている。
【０１０６】
この実施の形態１１によるろ過処理装置によれば、上記実施の形態７に示した効果のほかに、上記実施の形態９に示した効果も同時に得られる。
【０１０７】
実施の形態１２．
図１２はこの発明の実施の形態１２によるろ過処理装置を示す構成図である。
図１２のろ過処理装置は、上記実施の形態９と同様に、図８のろ過処理装置の往復動手段９をピストン９ａとシリンダ９ｂによる構成に代えて、バネ９ｇからなる構成としたものである。
ただし、ドレン室の排水口１ｅの位置及び開閉弁７の設置位置は、図４のろ過処理装置と同じ位置に配置されている。
【０１０８】
この実施の形態１２によるろ過処理装置によれば、上記実施の形態８に示した効果のほかに、上記実施の形態９に示した効果も同時に得られる。
【０１０９】
実施の形態１３．
図１３はこの発明の実施の形態１３によるろ過処理装置を示す構成図である。
図１３のろ過処理装置では、往復動手段９として、回転洗浄器３の吐出口３ｃの方向を変えた立上部３ｄとバネ９ｄを配設した構成に代えて、スライドピン９ｈと円筒カム９ｉとを連動させて回転力を往復動力に変換する機構としている点が図９のろ過処理装置と大きく相違している。
【０１１０】
即ち、この実施の形態１３では、回転洗浄器３の回転軸と同一軸とするシャフト９ｋにスライドピン９ｈを配置し、スライド溝９ｊを有する円柱形状の円筒カム９ｉをスライドピン９ｈとスライド溝９ｊとが勘合するように互いに回動自在に配設している。
シャフト９ｋには、軸方向に摺動可能な状態でギア９ｍが装着されており、円筒カム９ｉにもギア９ｎが固定装着されており、互いのギア９ｍ，９ｎが噛み合うように配置された構成となっている。
そして、円筒形スクリーン２の洗浄時には、開閉弁４が開いて回転洗浄器３の吐出口３ｃから水が吐出して回転洗浄器３が回転すると、それがシャフト９ｋを伝達してギア９ｍが回転する。そのギア９ｍと噛み合っている円筒カム９ｉのギア９ｎが回転し、ギア９ｎと連結している円筒カム９ｉが回り始める。
円筒カム９ｉが回るとスライド溝９ｊが移動し始め、そのスライド溝９ｊに沿ってスライドピン９ｈが軸方向に移動する。これにより、シャフト９ｋが軸方向に移動する。即ち、回転洗浄器３が回転軸を中心に回転しながら軸方向に移動する。以上の動作によって、吸引ノズル３ｂは、円筒形スクリーン２の内面を螺旋軌道で移動するようになっている。
【０１１１】
以上、この実施の形態１３によるろ過処理装置によれば、上記実施の形態９に示した効果のほかに、シャフト９ｋに固定されたスライドピン９ｈと円筒カム９ｉのスライド溝９ｊとが噛み合い、さらに、シャフト９ｋのギア９ｍと円筒カム９ｉのギア９ｎが噛み合っていることから、吸引ノズル３ｂを原水の水圧に影響されずに確実に螺旋軌道上で移動させることができる効果を奏する。また、吐出口３ｃからの吐出水による回転力が継続する限り、往復動力に変換し続けることから、吸引ノズル３ｂを同一の螺旋軌道を繰り返し移動させることができ、洗浄能力がより向上する効果を奏する。
【０１１２】
実施の形態１４．
図１４はこの発明の実施の形態１４によるろ過処理装置を示す構成図である。
図１４のろ過処理装置は、上記実施の形態１３と同様に、スライドピン９ｈや円筒カム９ｉなどからなる往復動手段９を図１０のろ過処理装置に適用するようにしたものである。
【０１１３】
この実施の形態１４によるろ過処理装置によれば、上記実施の形態１０に示した効果のほかに、上記実施の形態１３に示した効果も同時に得られる。
【０１１４】
実施の形態１５．
図１５はこの発明の実施の形態１５によるろ過処理装置を示す構成図である。
図１５のろ過処理装置は、上記実施の形態１３と同様に、スライドピン９ｈや円筒カム９ｉなどからなる往復動手段９を図１１のろ過処理装置に適用するようにしたものである。ただし、スライドピン９ｈ、円筒カム９ｉ等を配設するために、排水口１ｅ及び開閉弁７をドレン室１０２の外周面に配置している。
【０１１５】
この実施の形態１５によるろ過処理装置によれば、上記実施の形態１１に示した効果のほかに、上記実施の形態１３に示した効果も同時に得られる。
【０１１６】
実施の形態１６．
図１６はこの発明の実施の形態１６によるろ過処理装置を示す構成図である。
図１６のろ過処理装置は、上記実施の形態１３と同様に、スライドピン９ｈや円筒カム９ｉなどからなる往復動手段９を図１２のろ過処理装置に適用するようにしたものである。ただし、スライドピン９ｈ、円筒カム９ｉ等を配設するために、排水口１ｅ及び開閉弁７をドレン室１０２の外周面に配置している。
【０１１７】
この実施の形態１６によるろ過処理装置によれば、上記実施の形態１２に示した効果のほかに、上記実施の形態１３に示した効果も同時に得られる。
【０１１８】
実施の形態１７．
図１７はこの発明の実施の形態１７によるろ過処理装置の原水室１０１Ｂ、ろ過水室１０１Ｃ及びドレン室１０２を示す部分拡大図である。
回転洗浄器３の連通管３ａの外面に設けられたネジ溝部３ｅと、ろ過処理室１０１及びドレン室１０２間の隔壁１ａに設けられた突起部材１ｉとによる組み合わせによるネジ構造によって、往復動手段９のドレン室１０２側への移動力としている点で上記実施の形態９と大きく相違している。
往復動手段９の原水室１０１Ｂ側への移動力については、上記実施の形態９と同様に、原水前室１０１Ａに配設された縮む方向に作用するバネ９ｇを適用している。
【０１１９】
図１７は円筒形スクリーン２を洗浄する前の状態（初期状態）を表している。
ネジ溝部３ｅと隔壁１ａの開口の上下に設けられた突起部材１ｉとが勘合し、連通管３ａが雄ネジの役割を担い、隔壁１ａの突起部材１ｉが雌ネジの役割を担っており、回転洗浄器３が回転し始めた時に回転力の一部を回転洗浄器３がドレン室側へ移動する推進力に変換するようになっている。
突起部材１ｉに挿通されているバネ１ｊは、広がる方向に付勢するバネであり、このバネ１ｊにより突起部材１ｉは常時連通管３ａのネジ溝部３ｅから離れる方向の力を受けているが、切替部材１ｋによって抑えつけられることで、突起部材１ｉがネジ溝部３ｅに勘合するようになっている。
【０１２０】
図１８は円筒形スクリーン２の洗浄が完了した直後の状態を表している。
円筒形スクリーン２の洗浄が開始され、回転洗浄器３が回転し、それが往復動手段９によってドレン室１０２方向への推進力に変換されて、回転洗浄器３がドレン室１０２側の移動限界点に達したとき、原水室１０１Ｂ側の連通管３ａの外周に設けられたフランジ３ｆが切替部材１ｋに当接し、切替部材１ｋはドレン室１０２側に押される。
そして、切替部材１ｋが移動し、切替部材１ｋの突起部材１ｉ側に設けられた凹部が突起部材１ｉと同じ位置になり、バネ１ｊの付勢力によって突起部材１ｉは凹部に嵌まって突起部材１ｉが連通管３ａのネジ溝部３ｅから外れる。
【０１２１】
このとき、原水前室１０１Ａのバネ９ｇは、縮む方向の力（原水室１０１Ｂ側への移動力）を蓄えた状態となっているが、突起部材１ｉがネジ溝部３ｅから外れたことにより、原水前室１０１Ａのバネ９ｇの力を抑制するものがなくなり、回転洗浄器３は、原水室１０１Ｂ側の移動限界点まで戻される。このとき、連通管３ａに設けられたフランジ３ｆが切替部材１ｋに当接し、切替部材１ｋは原水室１０１Ｂ側に押される。
これによって、切替部材１ｋの凹部がスライドして、突起部材１ｉを再度連通管３ａ側に押して突起部材１ｉと連通管３ａのネジ溝部３ｅが勘合する。以上の作用によって、円筒形スクリーン２の洗浄時に回転洗浄器３が往復動するようになっている。
なお、この実施の形態１７に示すろ過処理装置の往復動手段９は、上記実施の形態１０から上記実施の形態１２におけるろ過処理装置においても適用可能である。
【０１２２】
以上、この実施の形態１７による過処理装置によれば、円筒形スクリーン２の洗浄時には、連通管３ａのネジ溝部３ｅと突起部材１ｉとが勘合していることから、回転洗浄器３を原水前室１０１Ａのバネ９ｇによる付勢力に抗して、原水の水圧に影響されずに正確なピッチでドレン室１０２側に移動させることが可能となる。これによって、吸引ノズル３ｂは安定した螺旋軌道を移動することができ、円筒形スクリーン２の内面を確実に洗浄できる大きな効果を奏する。
【０１２３】
実施の形態１８．
図１９はこの発明の実施の形態１８によるろ過処理装置の要部を示す断面図である。
図１９のろ過処理装置では、吸引ノズル３ｂの先端（回転洗浄器３の回転方向の部分）に切欠部３ｇを設けている点で、上記実施の形態１〜１７に示すろ過処理装置と大きく相違している。
【０１２４】
この実施の形態１８によるろ過処理装置によれば、上記実施の形態１〜１７に示した効果のほかに、回転洗浄器３による円筒形スクリーン２の洗浄時、吸引ノズル３ｂには、原水室１０１Ｂとドレン室１０２との水圧差による吸引力に加えて、吸引ノズル３ｂが回転しているときに円筒形スクリーン２の内周面の付着物と水が切欠部３ｇから優先的に流入することにより、さらなる吸引力が発生し、洗浄能力が大幅に向上する効果を奏する。
【０１２５】
実施の形態１９．
図２０はこの発明の実施の形態１９によるろ過処理装置を示す構成図である。
図２０のろ過処理装置は、開閉弁４を電動弁等の電気信号によって制御可能な弁とし、電気信号で開閉弁４を制御する制御器１０を設けている点で上記実施の形態５と大きく相違している。
制御器１０等が必要とする電力は、例えば、ソーラー発電機１１、風力発電機や、容器１のろ過水流出口１ｄに配設された水車型発電機１２等によって起電して供給する。また、余剰電力は充電池１３によって充電する。
【０１２６】
円筒形スクリーン２の洗浄の必要性を判断するために、原水室１０１Ｂあるいはドレン室１０２の水圧を検知する手段として、圧力センサ１４を配設しており、制御器１０が圧力センサ１４の検知信号を常時受信するようになっている。
そして、制御器１０が圧力センサ１４の検知信号に基づいて円筒形スクリーン２の洗浄を必要と判断したとき、開弁を指示する信号を開閉弁４に発信し、同時に、シリンダ９ｂ内の水を排水する方向に流路を切り替える信号を往復動手段９の制御弁１５に発信する。
これによって、ドレン室１０２内の水圧が急激に低下し、吸引ノズル３ｂの吸引力が発生し、同時に吐出口３ｃからの吐水によって回転洗浄器３が回転し始める。
【０１２７】
さらに、同時にシリンダ９ｂ内の水が制御弁１５を介して排水されることにより、ピストン９ａがシリンダ９ｂの取出口９ｃ側に移動し始め、回転洗浄器３の吸引ノズル３ｂが螺旋軌道を移動する。そして、ピストン９ａがシリンダ９ｂの移動限界点に達したとき、スイッチ１６に当接することで制御器１０に信号が送られ、制御器１０は、開閉弁４を閉じる信号と、流路をろ過水室１０１Ｃ側に切り替える信号を制御弁１５に送信する。ろ過水室１０１Ｃから水が制御弁１５を介してシリンダ９ｂ内に流入することにより、ピストン９ａはドレン室１０２側の移動限界点まで移動する。
【０１２８】
以上、この実施の形態１９によるろ過処理装置によれば、電気信号による制御のため、円筒形スクリーン２の洗浄タイミングの微調整が容易にでき、しかも外部電源が不要であるという大きな効果を奏する。
【図面の簡単な説明】
【０１２９】
【図１】この発明の実施の形態１によるろ過処理装置を示す構成図である。
【図２】この発明の実施の形態２によるろ過処理装置を示す構成図である。
【図３】この発明の実施の形態３によるろ過処理装置を示す構成図である。
【図４】この発明の実施の形態４によるろ過処理装置を示す構成図である。
【図５】この発明の実施の形態５によるろ過処理装置を示す構成図である。
【図６】この発明の実施の形態６によるろ過処理装置を示す構成図である。
【図７】この発明の実施の形態７によるろ過処理装置を示す構成図である。
【図８】この発明の実施の形態８によるろ過処理装置を示す構成図である。
【図９】この発明の実施の形態９によるろ過処理装置を示す構成図である。
【図１０】この発明の実施の形態１０によるろ過処理装置を示す構成図である。
【図１１】この発明の実施の形態１１によるろ過処理装置を示す構成図である。
【図１２】この発明の実施の形態１２によるろ過処理装置を示す構成図である。
【図１３】この発明の実施の形態１３によるろ過処理装置を示す構成図である。
【図１４】この発明の実施の形態１４によるろ過処理装置を示す構成図である。
【図１５】この発明の実施の形態１５によるろ過処理装置を示す構成図である。
【図１６】この発明の実施の形態１６によるろ過処理装置を示す構成図である。
【図１７】この発明の実施の形態１７によるろ過処理装置の原水室、ろ過水室及びドレン室を示す部分拡大図（円筒形スクリーン２を洗浄する前の状態を表す部分拡大図）である。
【図１８】この発明の実施の形態１７によるろ過処理装置の原水室、ろ過水室及びドレン室を示す部分拡大図（円筒形スクリーン２の洗浄が完了した直後の状態を表す部分拡大図）である。
【図１９】この発明の実施の形態１８によるろ過処理装置の要部を示す断面図である。
【図２０】この発明の実施の形態１９によるろ過処理装置を示す構成図である。
【符号の説明】
【０１３０】
１  容器
１０１  ろ過処理室
１０２  ドレン室
１０１Ａ  原水前室
１０１Ｂ  原水室
１０１Ｃ  ろ過水室
１ａ  隔壁
１ｂ  支持部材
１ｃ  原水流入口
１ｄ  ろ過水流出口
１ｅ  排水口
１ｆ  取出口
１ｇ  取出口
１ｈ  取出口
１ｉ  突起部材
１ｊ  バネ
１ｋ  切替部材
１ｍ  予備取出口
１ｎ，１ｐ  軸受
２  円筒形スクリーン
３  回転洗浄器
３ａ  連通管
３ｂ  吸引ノズル
３ｃ  吐出口
３ｄ  立上部
３ｅ  ネジ溝部
３ｆ  フランジ
３ｇ  切欠部
３ｈ，３ｉ  シャフト
４  開閉弁
４ａ  弁箱
４ｂ  弁体
４ｃ  バネ
４ｄ  流入口
４ｅ  排出口
４ｆ  取出口
４ｇ  取出口
４ｈ  係止部
５  制御器
５０１  第１室
５０２  第２室
５０３  第３室
５０４  第４室
５０５  第５室
５ａ，５ｂ，５ｗ  ダイヤフラム
５ｃ，５ｎ  突出空間部
５ｄ，５ｅ，５ｊ，５ｍ，５ｔ，５ｕ  取出口
５ｆ，５ｉ，５ｋ，５ｖ  連通管
５ｇ，５ｑ，５１ｑ  弁体
５ｈ，５ｒ  バネ
５ｐ  流出口
５ｓ  連通孔
５ｘ，５ｙ  取出口
５ｚ  補給水管
６  制御器
６０  本体
６０１  水圧室
６０２  流入室
６０３  吐水室
６０４  感知室
６ａ  主シリンダ
６ｂ，６ｃ  取出口
６ｄ  突起部
６ｅ  隔壁
６ｆ，６ｇ  開口
６ｈ  副シリンダ
６ｊ，６ｍ  取出口
６ｋ  筒状体
６１  ピストンバルブ
６２  押し棒
６２ａ  弁体部
６２ｂ  弁棒部
６１１  筒状弁体
６１１ａ，６１１ｂ  突起部
６１１ｃ  隔壁
６１２  逃し弁体
６１２ａ  弁体部
６１２ｂ  弁棒部
６３，６４，６５  パッキン
６６  パッキン支持材
６７，６９  バネ
６８  係止部材
２０，２１，２２，２３  連通管
２４  逆流防止弁
７  制御器
７０  本体
７０１  水圧室
７０２  流入室
７０３  吐水室
７０４  感知室
７ａ  主シリンダ
７ｂ  取出口
７ｃ  排水口
７ｄ  突起部
７ｅ  隔壁
７ｆ，７ｇ  開口
７ｈ  副シリンダ
７ｊ，７ｍ  取出口
７ｋ  筒状体
７ｍ  取出口
７１  ピストンバルブ
７２  押し棒
７２ａ  弁体部
７２ｂ  弁棒部
７１１  筒状弁体
７１１ａ，７１１ｂ  突起部
７１１ｃ  隔壁
７１２  逃し弁体
７１２ａ  弁体部
７１２ｂ  弁棒部
７３，７４，７５  パッキン
７６  パッキン支持材
７７，７９  バネ
７８  係止部材
８  差圧ピストン
８０１  第１室
８０２  第２室
８０３  第３室
８ａ  ダイヤフラム
８ｂ  ピストン
８ｃ，８ｄ，８ｅ  取出口
９  往復動手段
９ａ  ピストン
９ｂ  シリンダ
９ｃ  取出口
９ｄ  連通管
９ｅ  取出口
９ｆ  連通管
９ｇ  バネ
９ｈ  スライドピン
９ｉ  円筒カム
９ｊ  スライド溝
９ｋ  シャフト
９ｍ  ギア
９ｎ  ギア
１０  制御器
１１  ソーラー発電機
１２  水車型発電機
１３  充電池
１４  圧力センサ
１５  制御弁
１６  スイッチ
【図１】
2007098278.tif 000003
【図２】
2007098278.tif 000004
【図３】
2007098278.tif 000005
【図４】
2007098278.tif 000006
【図５】
2007098278.tif 000007
【図６】
2007098278.tif 000008
【図７】
2007098278.tif 000009
【図８】
2007098278.tif 000010
【図９】
2007098278.tif 000011
【図１０】
2007098278.tif 000012
【図１１】
2007098278.tif 000013
【図１２】
2007098278.tif 000014
【図１３】
2007098278.tif 000015
【図１４】
2007098278.tif 000016
【図１５】
2007098278.tif 000017
【図１６】
2007098278.tif 000018
【図１７】
2007098278.tif 000019
【図１８】
2007098278.tif 000020
【図１９】
2007098278.tif 000021
【図２０】
2007098278.tif 000022